(57)【要約】【課題】部品交換の作業の手間を抑えること。【解決手段】緯入れノズル１０は、第１ノズル本体２１に挿入されるとともに第１ノズルジョイント内流路３１ｄと第１ノズル内流路２１ｄとを繋ぐ第１アダプタ内流路６１ｅを有する第１アダプタ６１を備えている。また、緯入れノズル１０は、第２ノズル本体２２に挿入されるとともに第２ノズルジョイント内流路３２ｄと第２ノズル内流路２２ｄとを繋ぐ第２アダプタ内流路６２ｅを有する第２アダプタ６２を備えている。【選択図】図２
2018100454.tif 000002
【特許請求の範囲】
【請求項１】
ノズル内流路を有するノズル本体と、
前記ノズル本体が取り付けられるとともにノズルジョイント内流路を有するノズルジョイントと、
前記ノズルジョイントに取り付けられるとともに内部が前記ノズルジョイント内流路に連通するカップリングと、
前記カップリングに結合されるパイプと、
前記ノズル本体に挿入されるとともに前記ノズルジョイント内流路と前記ノズル内流路とを繋ぐアダプタ内流路を有するアダプタと、を備えるウォータジェットルームの緯入れノズル。
【請求項２】
前記ノズル本体は、緯糸を導くニードルが挿入されるニードル挿入孔を有し、
前記ニードル挿入孔の延びる方向を前記ノズル本体の軸線方向とすると、
前記ノズル本体に対する前記アダプタの挿入方向が前記軸線方向に対して交差している請求項１に記載のウォータジェットルームの緯入れノズル。
【請求項３】
前記ノズル本体、前記ノズルジョイント、前記カップリング、前記パイプ、及び前記アダプタを有するノズルユニットを複数備えている請求項１又は請求項２に記載のウォータジェットルームの緯入れノズル。
【請求項４】
前記ノズルユニットを二つ備え、
前記二つのノズルユニットの間で前記ノズル本体に対する前記アダプタの挿入方向が互いに対向していることを特徴とする請求項３に記載のウォータジェットルームの緯入れノズル。
【発明の詳細な説明】
【技術分野】
【０００１】
本発明は、ウォータジェットルームの緯入れノズルに関する。
【背景技術】
【０００２】
ウォータジェットルームは、ポンプにより水を圧送して緯入れノズルから水を噴射することにより緯糸を経糸開口内に挿入する。
例えば特許文献１の緯入れノズルは、図７に示すように、円筒状のノズル本体１０１と、ノズル本体１０１に一体的に形成された延在部１０２と、延在部１０２にカップリング１０３を介して接続されるパイプ１０４と、を有している。延在部１０２は、ノズル本体１０１の軸線方向に対して直交する方向に延びている。延在部１０２は、第１の給水路１０２ａを有している。カップリング１０３は、第１の給水路１０２ａに連通する第２の給水路１０３ａを有している。
【０００３】
パイプ１０４の端部は、カップリング１０３の内側に挿入された状態でカップリング１０３に結合されている。また、パイプ１０４は、カップリング１０３がボルト１０５によりノズルジョイント１０６に取り付けられることにより、ノズルジョイント１０６に支持されている。さらに、ノズル本体１０１は、カップリング１０３を延在部１０２の内側に挿入した状態で、延在部１０２を貫通するボルト１０７をノズルジョイント１０６に螺合することにより、ノズルジョイント１０６に取り付けられている。よって、ノズル本体１０１とカップリング１０３とは直接接続されている。
【０００４】
ノズル本体１０１内にはニードル１０８が挿入されている。ノズル本体１０１及びニードル１０８は、ニードル１０８の周囲に延びるとともに第１の給水路１０２ａに連通する環状溝１０９と、環状溝１０９よりも水の流れ方向の下流側に位置する環状室１１０と、環状溝１０９と環状室１１０とを連通する複数の給水穴１１１と、を協働して形成している。環状室１１０内には整流子１１２が配置されている。整流子１１２は、貫通孔１１２ａを有している。ニードル１０８は、貫通孔１１２ａの内側を通過している。貫通孔１１２ａの内周面とニードル１０８の外周面との間は、高圧の水流を絞って加速するように流路断面積が下流側ほど減少する加速流路（オリフィス流路）になっている。
【０００５】
パイプ１０４内には、図示しないポンプにより圧送される水が流れる。パイプ１０４内を流れる水は、第２の給水路１０３ａを介して第１の給水路１０２ａに供給され、第１の給水路１０２ａに供給される水が、環状溝１０９、複数の給水穴１１１、環状室１１０及び貫通孔１１２ａを介してノズル本体１０１から緯糸と共に噴射される。噴射された緯糸は、水流により経糸開口内を飛走する。これにより、緯糸が経糸開口内に緯入れされる。
【０００６】
ところで、ノズル本体１０１の内部に異物が溜まると、緯入れ不良を起こすことがあるため、ボルト１０７を外して、延在部１０２をカップリング１０３に対して引き抜きながらノズルジョイント１０６から分離し、ノズル本体１０１の内部の清掃を行う。
【先行技術文献】
【特許文献】
【０００７】
【特許文献１】特開２００５−１６３２３５号公報
【発明の概要】
【発明が解決しようとする課題】
【０００８】
上述したように、特許文献１の緯入れノズルにおいては、ノズル本体１０１とカップリング１０３とが直接接続されている。よって、ノズル本体１０１の内部の清掃を行うために、ノズル本体１０１をノズルジョイント１０６から分離する際には、延在部１０２をカップリング１０３に対して引き抜きながらノズルジョイント１０６から分離する。そして、ノズル本体１０１の内部の清掃後、ノズル本体１０１をノズルジョイント１０６に再び取り付ける際には、延在部１０２の内側にカップリング１０３を挿し込みながらノズル本体１０１をノズルジョイント１０６に対して取り付ける。このような、ノズル本体１０１におけるノズルジョイント１０６に対する着脱作業が繰り返し行われると、カップリング１０３に傷が付く虞がある。カップリング１０３に傷が付くと、水漏れが発生する虞があるため、カップリング１０３を交換する必要があるが、カップリング１０３を交換しようとすると、カップリング１０３に結合されているパイプ１０４も交換しなければならなくなるため、部品交換の作業に手間が掛かる。
【０００９】
本発明は、上記課題を解決するためになされたものであって、その目的は、部品交換の作業の手間を抑えることができるウォータジェットルームの緯入れノズルを提供することにある。
【課題を解決するための手段】
【００１０】
上記課題を解決するウォータジェットルームの緯入れノズルは、ノズル内流路を有するノズル本体と、前記ノズル本体が取り付けられるとともにノズルジョイント内流路を有するノズルジョイントと、前記ノズルジョイントに取り付けられるとともに内部が前記ノズルジョイント内流路に連通するカップリングと、前記カップリングに結合されるパイプと、前記ノズル本体に挿入されるとともに前記ノズルジョイント内流路と前記ノズル内流路とを繋ぐアダプタ内流路を有するアダプタと、を備える。
【００１１】
これによれば、ノズル本体とカップリングとを直接接続する必要が無くなる。そして、例えば、ノズル本体の内部の清掃を行うために、ノズル本体をノズルジョイントから分離する際には、アダプタにおけるノズル本体への挿入状態を解除してノズル本体をノズルジョイントから分離する。そして、ノズル本体の内部の清掃後、ノズル本体をノズルジョイントに再び取り付ける際には、アダプタをノズル本体に挿入してノズル本体をノズルジョイントに対して取り付ける。このような、ノズル本体におけるノズルジョイントに対する着脱作業が繰り返し行われたとしても、アダプタには傷が付く虞はあるものの、ノズルジョイントに取り付けられているカップリングには傷が付かない。よって、カップリングを交換しなければならなくなるといったことが無く、カップリングに結合されているパイプも交換しなければならなくなるといったことが無い。したがって、アダプタに傷が付いたとしても、アダプタのみを交換すれば良いため、部品交換の作業の手間を抑えることができる。
【００１２】
上記ウォータジェットルームの緯入れノズルにおいて、前記ノズル本体は、緯糸を導くニードルが挿入されるニードル挿入孔を有し、前記ニードル挿入孔の延びる方向を前記ノズル本体の軸線方向とすると、前記ノズル本体に対する前記アダプタの挿入方向が前記軸線方向に対して交差しているとよい。これによれば、例えば、アダプタにおけるノズル本体に対する挿入方向がノズル本体の軸線方向に平行である場合に比べると、ノズル内流路の構造を簡素化することができる。
【００１３】
上記ウォータジェットルームの緯入れノズルにおいて、前記ノズル本体、前記ノズルジョイント、前記カップリング、前記パイプ、及び前記アダプタを有するノズルユニットを複数備えているとよい。
【００１４】
各ノズルユニットにおいて、ノズル本体の内部の清掃を行うために、ノズル本体をノズルジョイントから分離する際に、例えば、アダプタをノズル本体から引き抜いてノズル本体をノズルジョイントから分離する。すると、ノズル本体におけるノズルジョイントに対しての分離方向がアダプタにおけるノズル本体に対する挿入方向に限定されず、ノズル本体をノズルジョイントから分離する際に、複数のノズルユニットのノズル本体同士が互いに干渉してしまうことが無い。したがって、複数のノズルユニットのノズル本体におけるノズルジョイントに対しての着脱作業を単独で行うことができる。
【００１５】
上記ウォータジェットルームの緯入れノズルにおいて、前記ノズルユニットを二つ備え、前記二つのノズルユニットの間で前記ノズル本体に対する前記アダプタの挿入方向が互いに対向しているとよい。
【００１６】
二つのノズルユニットの間でノズル本体に対するアダプタの挿入方向が互いに対向していると、ノズル本体をアダプタの挿入方向に移動させると、二つのノズル本体同士が互いに干渉してしまうことになる。そこで、ノズル本体を移動させる前に、アダプタをノズル本体から引き抜くことで、ノズル本体におけるノズルジョイントに対しての分離方向がアダプタにおけるノズル本体に対する挿入方向に限定されなくなるため、ノズル本体をノズルジョイントから分離する際に、二つのノズル本体同士が互いに干渉してしまうことが無い。したがって、二つのノズルユニットの間でノズル本体に対するアダプタの挿入方向が互いに対向していても、複数のノズルユニットのノズル本体におけるノズルジョイントに対しての着脱作業を単独で行うことができる。
【発明の効果】
【００１７】
この発明によれば、部品交換の作業の手間を抑えることができる。
【図面の簡単な説明】
【００１８】
【図１】実施形態におけるウォータジェットルームの緯入れノズルを示す斜視図。
【図２】緯入れノズルの側断面図。
【図３】図２における３−３線断面図。
【図４】第２ノズル本体を第２ノズルジョイントから分離した状態を示す側断面図。
【図５】別の実施形態における緯入れノズルの平断面図。
【図６】別の実施形態における緯入れノズルの側断面図。
【図７】従来例における緯入れノズルを示す断面図。
【発明を実施するための形態】
【００１９】
以下、ウォータジェットルームの緯入れノズルを具体化した一実施形態を図１〜図６にしたがって説明する。
図１に示すように、ウォータジェットルームの緯入れノズル１０は、ノズルユニットとしての第１ノズルユニット１１及び第２ノズルユニット１２を備えている。よって、緯入れノズル１０は、ノズルユニットを複数備え、本実施形態では、ノズルユニットを二つ備えている。第１ノズルユニット１１及び第２ノズルユニット１２は、多色の緯入れに対応して経糸Ｗの移動方向に並んで配置されている。
【００２０】
第１ノズルユニット１１は、ノズル本体としての第１ノズル本体２１、ノズルジョイントとしての第１ノズルジョイント３１、カップリングとしての第１カップリング４１、パイプとしての第１パイプ５１、及びアダプタとしての第１アダプタ６１と、を有している。第２ノズルユニット１２は、ノズル本体としての第２ノズル本体２２、ノズルジョイントとしての第２ノズルジョイント３２、カップリングとしての第２カップリング４２、パイプとしての第２パイプ５２、及びアダプタとしての第２アダプタ６２と、を有している。
【００２１】
第１ノズルジョイント３１及び第２ノズルジョイント３２は、それぞれブロック体である。第１ノズルジョイント３１は、第１ノズルアジャスタ１３ａに取り付けられている。第２ノズルジョイント３２は、第２ノズルアジャスタ１３ｂに取り付けられている。第１ノズルアジャスタ１３ａ及び第２ノズルアジャスタ１３ｂは、フレーム１４に取り付けられている。第１ノズルジョイント３１は、第１ノズルアジャスタ１３ａに対する取付角度が調整可能になっている。第２ノズルジョイント３２は、第２ノズルアジャスタ１３ｂに対する取付角度が調整可能になっている。
【００２２】
次に、第１ノズルユニット１１の構成について詳しく説明する。
図２に示すように、第１ノズルジョイント３１は、第１ノズル本体２１が取り付けられる第１取付面３１ａと、第１カップリング４１が取り付けられる第１取付孔３１ｂと、第１アダプタ６１が挿入される第１アダプタ挿入孔３１ｃと、を有している。
【００２３】
第１取付面３１ａは、水平に延びる平坦面状である。第１取付面３１ａは、第１ノズルジョイント３１及び第２ノズルジョイント３２の並設方向Ｘ１で第１ノズルジョイント３１及び第２ノズルジョイント３２が互いに対向する第１ノズルジョイント３１の側面３１１に連続している。側面３１１は、並設方向Ｘ１に対して直交する方向である上下方向Ｙ１に延びている。
【００２４】
第１ノズルジョイント３１は、側面３１１における第１取付面３１ａとは反対側に連続する傾斜面３１２を有している。傾斜面３１２は、側面３１１から第１取付面３１ａとは反対側に離れるにつれて並設方向Ｘ１で第２ノズルユニット１２側へ傾斜していく。さらに、第１ノズルジョイント３１は、傾斜面３１２における側面３１１とは反対側に連続する開口側面３１３を有している。開口側面３１３は、傾斜面３１２から離れるにつれて並設方向Ｘ１で第２ノズルユニット１２とは反対側へ傾斜していく。第１取付孔３１ｂは、開口側面３１３に開口している。第１取付孔３１ｂは、並設方向Ｘ１に対して傾斜した状態で延びる雌ねじ孔である。
【００２５】
第１カップリング４１は筒状である。第１カップリング４１の一端部の外周面には、雄ねじ４１ａが形成されている。そして、雄ねじ４１ａが第１取付孔３１ｂに螺合されることにより、第１カップリング４１が第１取付孔３１ｂに取り付けられている。第１カップリング４１の内部は第１取付孔３１ｂに連通している。
【００２６】
第１パイプ５１の一端部は、第１カップリング４１の他端部に挿入された状態で、例えば、溶接により第１カップリング４１に結合されている。第１パイプ５１は、一端部が並設方向Ｘ１に対して傾斜するように延びることで第２ノズルジョイント３２と干渉してしまうことを回避している。第１パイプ５１の他端部は、図示しないポンプに接続されており、第１パイプ５１内には、ポンプから水が供給される。
【００２７】
第１取付孔３１ｂの内周面には、第１取付孔３１ｂの内周面と第１カップリング４１の外周面との間から外部へ水が洩れることを抑止するシール部材３１１ｂが設けられている。
【００２８】
第１ノズルジョイント３１は、第１取付面３１ａにおける側面３１１とは反対側の縁部に連続する側面３１４を有している。側面３１４は、上下方向Ｙ１に延びている。
第１アダプタ挿入孔３１ｃは、並設方向Ｘ１で第２ノズルジョイント３２とは反対側に位置する側面３１５から並設方向Ｘ１に延びて側面３１４にかけて貫通している。よって、第１アダプタ挿入孔３１ｃの両端は両側面３１４，３１５に開口している。第１アダプタ挿入孔３１ｃの内周面における側面３１５側の端部は、雌ねじ孔３１１ｃになっている。
【００２９】
第１ノズルジョイント３１は、ノズルジョイント内流路である第１ノズルジョイント内流路３１ｄを有している。第１ノズルジョイント内流路３１ｄは、第１取付孔３１ｂと、第１取付孔３１ｂに連通する第１連通路３１１ｄと、第１アダプタ挿入孔３１ｃに連通する第２連通路３１２ｄと、第１アダプタ挿入孔３１ｃとから構成されている。第１連通路３１１ｄの一端は、第１取付孔３１ｂに連通するとともに、第１連通路３１１ｄの他端は、第２連通路３１２ｄに連通している。第１連通路３１１ｄは、第１取付孔３１ｂと同じ方向に延びている。したがって、第１連通路３１１ｄは、並設方向Ｘ１に対して傾斜した状態で延びている。第２連通路３１２ｄは、第１ノズルジョイント３１における上下方向Ｙ１で第１アダプタ挿入孔３１ｃとは反対側に位置する面である下面３１６から上下方向Ｙ１に延びるように第１アダプタ挿入孔３１ｃに向けて穿設された孔である。第２連通路３１２ｄの一端は第１アダプタ挿入孔３１ｃに連通している。第２連通路３１２ｄの他端は、封止栓３１３ｄにより閉塞されている。
【００３０】
第１アダプタ６１は、軸部材である。第１アダプタ６１は、側面３１５側の開口から第１アダプタ挿入孔３１ｃに挿入されている。第１アダプタ６１は、第１アダプタ挿入孔３１ｃ内に配置される軸部６１ａと、軸部６１ａに連続し、第１アダプタ挿入孔３１ｃにおける側面３１４側の開口から突出する円筒状の挿入部６１ｂと、を有している。軸部６１ａにおける挿入部６１ｂとは反対側の端部の外周面には、雌ねじ孔３１１ｃに螺合される雄ねじ６１ｃが形成されている。第１アダプタ６１は、雄ねじ６１ｃが雌ねじ孔３１１ｃに螺合されることにより、第１アダプタ挿入孔３１ｃに挿入された状態で第１ノズルジョイント３１に取り付けられている。軸部６１ａの外周面における第２連通路３１２ｄの一端と対向する部位には、環状の凹部６１ｄが形成されている。
【００３１】
第１アダプタ６１は、アダプタ内流路としての第１アダプタ内流路６１ｅを有している。第１アダプタ内流路６１ｅは、凹部６１ｄに、第１アダプタ６１の軸線方向に対して直交する方向に貫通する複数の孔６１ｆと、第１アダプタ６１の軸線方向に延びる軸内通路６１ｇとから構成されている。軸内通路６１ｇは、一端が挿入部６１ｂの先端に開口しており、他端部が複数の孔６１ｆに連通している。
【００３２】
軸部６１ａの外周面における凹部６１ｄよりも雄ねじ６１ｃ側の部位と第１アダプタ挿入孔３１ｃの内周面との間には、シール部材３１２ｃが設けられている。軸部６１ａの外周面における凹部６１ｄよりも挿入部６１ｂ側の部位と第１アダプタ挿入孔３１ｃの内周面との間には、シール部材３１３ｃが設けられている。
【００３３】
第１ノズル本体２１は、複数（本実施形態では二つ）のボルト１５によって第１取付面３１ａに取り付けられている。第１ノズル本体２１は、挿入部６１ｂが挿入される挿入孔２１ａと、ニードル挿入孔２１ｂと、挿入孔２１ａとニードル挿入孔２１ｂとを連通する内部流路２１ｃと、を有している。内部流路２１ｃ及びニードル挿入孔２１ｂは、ノズル内流路としての第１ノズル内流路２１ｄを構成している。したがって、第１ノズル内流路２１ｄは、ニードル挿入孔２１ｂを含んでいる。
【００３４】
内部流路２１ｃは、軸内通路６１ｇとニードル挿入孔２１ｂとを繋いでいる。よって、内部流路２１ｃは、第１アダプタ内流路６１ｅとニードル挿入孔２１ｂとを繋いでいる。挿入孔２１ａの内周面と挿入部６１ｂの外周面との間にはシール部材２１ｓが設けられている。
【００３５】
内部流路２１ｃは、挿入孔２１ａと同じ方向に延びている。ニードル挿入孔２１ｂは、内部流路２１ｃに対して直交する方向に延びている。ニードル挿入孔２１ｂの延びる方向を第１ノズル本体２１の軸線方向とすると、第１アダプタ６１の挿入部６１ｂにおける挿入孔２１ａに対する挿入方向は、第１ノズル本体２１の軸線方向に対して直交している。
【００３６】
次に、第２ノズルユニット１２の構成についてさらに詳しく説明する。
第２ノズルジョイント３２は、第２ノズル本体２２が取り付けられる第２取付面３２ａと、第２カップリング４２が取り付けられる第２取付孔３２ｂと、第２アダプタ６２が挿入される第２アダプタ挿入孔３２ｃと、を有している。
【００３７】
第２取付面３２ａは、水平に延びる平坦面状である。第２取付面３２ａは、上下方向Ｙ１において、第１取付面３１ａと同じ位置（高さ）にある。第２取付面３２ａは、並設方向Ｘ１で第１ノズルジョイント３１及び第２ノズルジョイント３２が互いに対向する第２ノズルジョイント３２の側面３２１に連続している。側面３２１は、上下方向Ｙ１に延びている。
【００３８】
第２取付孔３２ｂは、並設方向Ｘ１で第１ノズルジョイント３１とは反対側に位置する第２ノズルジョイント３２の側面３２２に開口している。第２取付孔３２ｂは、並設方向Ｘ１に延びる雌ねじ孔である。
【００３９】
第２カップリング４２は筒状である。第２カップリング４２の一端部の外周面には、雄ねじ４２ａが形成されている。そして、雄ねじ４２ａが第２取付孔３２ｂに螺合されることにより、第２カップリング４２が第２取付孔３２ｂに取り付けられている。第２カップリング４２の内部は第２取付孔３２ｂに連通している。
【００４０】
第２パイプ５２の一端部は、第２カップリング４２の他端部に挿入された状態で、例えば、溶接により第２カップリング４２に結合されている。第２パイプ５２は、並設方向Ｘ１において第１ノズルジョイント３１とは反対側に延びている。第２パイプ５２の他端部は、図示しないポンプに接続されており、第２パイプ５２内には、ポンプから水が供給される。
【００４１】
第２取付孔３２ｂの内周面には、第２取付孔３２ｂの内周面と第２カップリング４２の外周面との間から外部へ水が洩れることを抑止するシール部材３２１ｂが設けられている。
【００４２】
第２ノズルジョイント３２は、第２取付面３２ａにおける側面３２１とは反対側の縁部に連続する側面３２３を有している。側面３２３は、上下方向Ｙ１に延びている。第２ノズルジョイント３２は、並設方向Ｘ１で側面３２３とは反対側に位置する側面３２４を有している。側面３２４は、第２取付孔３２ｂが開口する側面３２２よりも並設方向Ｘ１で第１ノズルジョイント３１寄りに位置している。
【００４３】
第２アダプタ挿入孔３２ｃは、並設方向Ｘ１で側面３２３から並設方向Ｘ１に延びて側面３２４にかけて貫通している。よって、第２アダプタ挿入孔３２ｃの両端は両側面３２３，３２４に開口している。第２アダプタ挿入孔３２ｃの内周面における側面３２４側の端部は、雌ねじ孔３２１ｃになっている。
【００４４】
第２ノズルジョイント３２は、ノズルジョイント内流路である第２ノズルジョイント内流路３２ｄを有している。第２ノズルジョイント内流路３２ｄは、第２取付孔３２ｂと、第２取付孔３２ｂに連通する第１連通路３２１ｄと、第２アダプタ挿入孔３２ｃに連通する第２連通路３２２ｄと、第２アダプタ挿入孔３２ｃとから構成されている。第１連通路３２１ｄの一端は、第２取付孔３２ｂに連通するとともに、第１連通路３２１ｄの他端は、第２連通路３２２ｄに連通している。第１連通路３２１ｄは、第２取付孔３２ｂと同じ方向に延びている。したがって、第１連通路３２１ｄは、並設方向Ｘ１に延びている。第２連通路３２２ｄは、第２ノズルジョイント３２における上下方向Ｙ１で第２アダプタ挿入孔３２ｃとは反対側に位置する面である下面３２５から上下方向Ｙ１に延びるように第２アダプタ挿入孔３２ｃに向けて穿設された孔である。第２連通路３２２ｄの一端は第２アダプタ挿入孔３２ｃに連通している。第２連通路３２２ｄの他端は、封止栓３２３ｄにより閉塞されている。
【００４５】
第２アダプタ６２は、軸部材である。第２アダプタ６２は、側面３２４側の開口から第２アダプタ挿入孔３２ｃに挿入されている。第２アダプタ６２は、第２アダプタ挿入孔３２ｃ内に配置される軸部６２ａと、軸部６２ａに連続し、第２アダプタ挿入孔３２ｃにおける側面３２３側の開口から突出する円筒状の挿入部６２ｂと、を有している。軸部６２ａにおける挿入部６２ｂとは反対側の端部の外周面には、雌ねじ孔３２１ｃに螺合される雄ねじ６２ｃが形成されている。第２アダプタ６２は、雄ねじ６２ｃが雌ねじ孔３２１ｃに螺合されることにより、第２アダプタ挿入孔３２ｃに挿入された状態で第２ノズルジョイント３２に取り付けられている。軸部６２ａの外周面における第２連通路３２２ｄの一端と対向する部位には、環状の凹部６２ｄが形成されている。
【００４６】
第２アダプタ６２は、アダプタ内流路としての第２アダプタ内流路６２ｅを有している。第２アダプタ内流路６２ｅは、凹部６２ｄに、第２アダプタ６２の軸線方向に対して直交する方向に貫通する複数の孔６２ｆと、第２アダプタ６２の軸線方向に延びる軸内通路６２ｇとから構成されている。軸内通路６２ｇは、一端が挿入部６２ｂの先端に開口しており、他端部が複数の孔６２ｆに連通している。
【００４７】
軸部６２ａの外周面における凹部６２ｄよりも雄ねじ６２ｃ側の部位と第２アダプタ挿入孔３２ｃの内周面との間には、シール部材３２２ｃが設けられている。軸部６２ａの外周面における凹部６２ｄよりも挿入部６２ｂ側の部位と第２アダプタ挿入孔３２ｃの内周面との間には、シール部材３２３ｃが設けられている。
【００４８】
第２ノズル本体２２は、複数（本実施形態では二つ）のボルト１６によって第２取付面３２ａに取り付けられている。第２ノズル本体２２は、挿入部６２ｂが挿入される挿入孔２２ａと、ニードル挿入孔２２ｂと、挿入孔２２ａとニードル挿入孔２２ｂとを連通する内部流路２２ｃと、を有している。内部流路２２ｃ及びニードル挿入孔２２ｂは、ノズル内流路としての第２ノズル内流路２２ｄを構成している。したがって、第２ノズル内流路２２ｄは、ニードル挿入孔２２ｂを含んでいる。
【００４９】
内部流路２２ｃは、軸内通路６２ｇとニードル挿入孔２２ｂとを繋いでいる。よって、内部流路２２ｃは、第２アダプタ内流路６２ｅとニードル挿入孔２２ｂとを繋いでいる。挿入孔２２ａの内周面と挿入部６２ｂの外周面との間にはシール部材２２ｓが設けられている。
【００５０】
内部流路２２ｃは、挿入孔２２ａと同じ方向に延びている。ニードル挿入孔２２ｂは、内部流路２２ｃに対して直交する方向に延びている。ニードル挿入孔２２ｂの延びる方向を第２ノズル本体２２の軸線方向とすると、第２アダプタ６２の挿入部６２ｂにおける挿入孔２２ａに対する挿入方向は、第２ノズル本体２２の軸線方向に対して直交している。第１ノズルユニット１１及び第２ノズルユニット１２の間で第１ノズル本体２１の挿入孔２１ａに対する第１アダプタ６１の挿入部６１ｂの挿入方向と第２ノズル本体２２の挿入孔２２ａに対する第２アダプタ６２の挿入部６２ｂの挿入方向とは互いに対向している。
【００５１】
次に、各ニードル挿入孔２１ｂ，２２ｂの内部構造について説明する。
図３に示すように、各ニードル挿入孔２１ｂ，２２ｂの内部には、緯糸Ｙを導くニードル１７がそれぞれ収容されている。ニードル１７は、緯糸Ｙを導く導糸孔１７ａを有している。ニードル１７は、一端から他端にかけてフランジ１７ｂ、雄ねじ部１７ｃ、大径部１７ｄ、小径部１７ｅ、複数の支持部１７ｆ、及びニードル部１７ｇを有している。各ニードル１７は、各ニードル挿入孔２１ｂ，２２ｂに形成された雌ねじ孔２１１ｂ，２２１ｂに雄ねじ部１７ｃがそれぞれ螺合されることにより、各ニードル挿入孔２１ｂ，２２ｂにそれぞれ取り付けられている。各大径部１７ｄと各ニードル挿入孔２１ｂ，２２ｂとの間にはシール部材１７ｓが設けられている。
【００５２】
複数の支持部１７ｆは、ニードル１７の軸心を中心にして放射状に延びている。隣り合う複数の支持部１７ｆ同士の間は給水穴１７０になっている。各小径部１７ｅの外周面と各ニードル挿入孔２１ｂ，２２ｂの内周面との間には、環状の給水路１７１がそれぞれ形成されている。各給水路１７１は、各内部流路２１ｃ，２２ｃに連通している。また、各ニードル挿入孔２１ｂ，２２ｂ内における各ニードル部１７ｇの周囲には、円環状の整流部材１８がそれぞれ収容されている。整流部材１８は、ニードル部１７ｇの外周面に向かって延びる放射状のフィン１８ａを有している。
【００５３】
さらに、各ニードル挿入孔２１ｂ，２２ｂにおける整流部材１８よりも水の流れ方向の下流側には、筒状のカバー部材１９がそれぞれ収容されている。ニードル部１７ｇの先端部は、カバー部材１９の内側を通過している。カバー部材１９の内周面の内径は、下流側に向かうにつれて縮径していく。カバー部材１９の内周面とニードル部１７ｇの外周面との間には環状のノズル孔１９ａが形成されている。
【００５４】
第１パイプ５１に供給された水は、第１パイプ５１内から第１カップリング４１内を介して第１ノズルジョイント内流路３１ｄを構成する第１取付孔３１ｂ、第１連通路３１１ｄ、第２連通路３１２ｄ、及び第１アダプタ挿入孔３１ｃを流れる。第１アダプタ挿入孔３１ｃ内に流出した水は、第１アダプタ内流路６１ｅを構成する複数の孔６１ｆ及び軸内通路６１ｇを介して第１ノズル内流路２１ｄを構成する内部流路２１ｃに流出し、内部流路２１ｃを介してニードル挿入孔２１ｂの給水路１７１に供給される。よって、第１アダプタ内流路６１ｅは、第１ノズルジョイント内流路３１ｄと第１ノズル内流路２１ｄとを繋いでいる。そして、給水路１７１に供給された水は、複数の給水穴１７０を通過して整流部材１８の複数のフィン１８ａによって整流された後、ノズル孔１９ａで絞られて加速しながら緯糸Ｙと共に第１ノズル本体２１から噴射される。噴射された緯糸Ｙは、経糸開口Ｗ１内を飛走する。これにより、緯糸Ｙが経糸開口Ｗ１内に緯入れされる。
【００５５】
第２パイプ５２に供給された水は、第２パイプ５２内から第２カップリング４２内を介して第２ノズルジョイント内流路３２ｄを構成する第２取付孔３２ｂ、第１連通路３２１ｄ、第２連通路３２２ｄ、及び第２アダプタ挿入孔３２ｃを流れる。第２アダプタ挿入孔３２ｃ内に流出した水は、第２アダプタ内流路６２ｅを構成する複数の孔６２ｆ及び軸内通路６２ｇを介して第２ノズル内流路２２ｄを構成する内部流路２２ｃに流出し、内部流路２２ｃを介してニードル挿入孔２２ｂの給水路１７１に供給される。よって、第２アダプタ内流路６２ｅは、第２ノズルジョイント内流路３２ｄと第２ノズル内流路２２ｄとを繋いでいる。そして、給水路１７１に供給された水は、複数の給水穴１７０を通過して整流部材１８の複数のフィン１８ａによって整流された後、ノズル孔１９ａで絞られて加速しながら緯糸Ｙと共に第２ノズル本体２２から噴射される。噴射された緯糸Ｙは、経糸開口Ｗ１内を飛走する。これにより、緯糸Ｙが経糸開口Ｗ１内に緯入れされる。このようにして、本実施形態の緯入れノズル１０により、多色の緯入れが行われる。
【００５６】
次に、本実施形態の作用について説明する。
図４に示すように、例えば、第２ノズル本体２２の内部に異物が溜まった場合に、第２ノズル本体２２を第２ノズルジョイント３２から分離し、第２ノズル本体２２の内部を清掃する。第２ノズル本体２２を第２ノズルジョイント３２から分離する際には、まず、複数のボルト１６を取り外す。続いて、雄ねじ６２ｃを雌ねじ孔３２１ｃに対して螺退させ、第２アダプタ６２を第２アダプタ挿入孔３２ｃから引き抜く。これにより、第２アダプタ６２の挿入部６２ｂが挿入孔２２ａから引き抜かれて、挿入部６２ｂにおける挿入孔２２ａへの挿入状態が解除され、第２ノズル本体２２が第２ノズルジョイント３２から分離可能になる。
【００５７】
このとき、第２ノズル本体２２における第２ノズルジョイント３２に対しての分離方向が第２アダプタ６２の挿入部６２ｂにおける第２ノズル本体２２の挿入孔２２ａに対する挿入方向に限定されることが無い。これにより、第２ノズル本体２２を第２ノズルジョイント３２から分離する際に、第１ノズル本体２１に第２ノズル本体２２が干渉してしまうことが無い。
【００５８】
そして、第２ノズル本体２２の清掃後、第２ノズル本体２２を第２ノズルジョイント３２に再び取り付ける際には、第２ノズル本体２２を第２取付面３２ａ上に配置し、第２アダプタ６２の挿入部６２ｂが挿入孔２２ａに挿入されるように、第２アダプタ６２を第２アダプタ挿入孔３２ｃに挿入する。そして、複数のボルト１６によって第２ノズル本体２２を第２取付面３２ａに対して取り付けることで、第２ノズル本体２２が第２ノズルジョイント３２に取り付けられる。
【００５９】
上記実施形態では以下の効果を得ることができる。
（１）緯入れノズル１０は、第１ノズル本体２１に挿入されるとともに第１ノズルジョイント内流路３１ｄと第１ノズル内流路２１ｄとを繋ぐ第１アダプタ内流路６１ｅを有する第１アダプタ６１を備えている。また、緯入れノズル１０は、第２ノズル本体２２に挿入されるとともに第２ノズルジョイント内流路３２ｄと第２ノズル内流路２２ｄとを繋ぐ第２アダプタ内流路６２ｅを有する第２アダプタ６２を備えている。これによれば、第１ノズル本体２１と第１カップリング４１とを直接接続する必要が無く、第２ノズル本体２２と第２カップリング４２とを直接接続する必要が無くなる。そして、第１ノズル本体２１における第１ノズルジョイント３１に対する着脱作業や、第２ノズル本体２２における第２ノズルジョイント３２に対する着脱作業が繰り返し行われたとしても、第１アダプタ６１や第２アダプタ６２には傷が付く虞はあるものの、第１カップリング４１及び第２カップリング４２には傷が付かない。よって、第１カップリング４１及び第２カップリング４２を交換しなければならなくなるといったことが無く、第１カップリング４１及び第２カップリング４２に結合されている第１パイプ５１及び第２パイプ５２も交換しなければならなくなるといったことが無い。したがって、第１アダプタ６１及び第２アダプタ６２に傷が付いたとしても、第１アダプタ６１及び第２アダプタ６２のみを交換すれば良いため、部品交換の作業の手間を抑えることができる。
【００６０】
（２）例えば、第１アダプタ６１における第１ノズル本体２１に対する挿入方向が第１ノズル本体２１の軸線方向に平行であったり、第２アダプタ６２における第２ノズル本体２２に対する挿入方向が第２ノズル本体２２の軸線方向に平行であったりする場合を考える。この場合、第１アダプタ内流路６１ｅとニードル挿入孔２１ｂとを繋ぐ第１ノズル本体２１の内部流路２１ｃを、第１アダプタ６１における第１ノズル本体２１に対する挿入方向及び第１ノズル本体２１の軸線方向に対して交差する方向に延びるように形成しなければならない。同様に、第２アダプタ内流路６２ｅとニードル挿入孔２２ｂとを繋ぐ第２ノズル本体２２の内部流路２２ｃを、第２アダプタ６２における第２ノズル本体２２に対する挿入方向及び第２ノズル本体２２の軸線方向に対して交差する方向に延びるように形成しなければならない。よって、第１ノズル本体２１の第１ノズル内流路２１ｄ及び第２ノズル本体２２の第２ノズル内流路２２ｄの構造が複雑化する。
【００６１】
そこで、本実施形態では、第１アダプタ６１における第１ノズル本体２１に対する挿入方向が第１ノズル本体２１の軸線方向に対して直交し、第２アダプタ６２における第２ノズル本体２２に対する挿入方向が第２ノズル本体２２の軸線方向に対して直交している。これによれば、第１アダプタ内流路６１ｅとニードル挿入孔２１ｂとを繋ぐ第１ノズル本体２１の内部流路２１ｃが、第１アダプタ６１における第１ノズル本体２１に対する挿入方向と同じ方向に形成できる。さらには、第２アダプタ内流路６２ｅとニードル挿入孔２２ｂとを繋ぐ第２ノズル本体２２の内部流路２２ｃが、第２アダプタ６２における第２ノズル本体２２に対する挿入方向と同じ方向に形成できる。よって、第１ノズル本体２１の第１ノズル内流路２１ｄ及び第２ノズル本体２２の第２ノズル内流路２２ｄの構造を簡素化することができる。
【００６２】
（３）緯入れノズル１０は、第１ノズルユニット１１及び第２ノズルユニット１２を備えている。第１ノズルユニット１１及び第２ノズルユニット１２において、第２ノズル本体２２の内部の清掃を行うために、第２ノズル本体２２を第２ノズルジョイント３２から分離する際に、第２アダプタ６２を第２ノズル本体２２から引き抜いて第２ノズル本体２２を第２ノズルジョイント３２から分離する。すると、第２ノズル本体２２における第２ノズルジョイント３２に対しての分離方向が第２アダプタ６２における第２ノズル本体２２に対する挿入方向に限定されず、第２ノズル本体２２を第２ノズルジョイント３２から分離する際に、第１ノズルユニット１１の第１ノズル本体２１に干渉してしまうことが無い。したがって、第１ノズル本体２１における第１ノズルジョイント３１に対しての着脱作業や第２ノズル本体２２における第２ノズルジョイント３２に対しての着脱作業を単独で行うことができる。
【００６３】
（４）第１ノズルユニット１１及び第２ノズルユニット１２の間で第１ノズル本体２１に対する第１アダプタ６１の挿入方向と第２ノズル本体２２に対する第２アダプタ６２の挿入方向とが互いに対向していると、例えば、第２ノズル本体２２を第２アダプタ６２の挿入方向に移動させると、第２ノズル本体２２が第１ノズル本体２１に干渉してしまう。そこで、第２ノズル本体２２を移動させる前に、第２アダプタ６２を第２ノズル本体２２から引き抜くことで、第２ノズル本体２２における第２ノズルジョイント３２に対しての分離方向が第２アダプタ６２における第２ノズル本体２２に対する挿入方向に限定されなくなる。このため、第２ノズル本体２２を第２ノズルジョイント３２から分離する際に、第２ノズル本体２２が第１ノズル本体２１に干渉してしまうことが無い。したがって、第１ノズルユニット１１及び第２ノズルユニット１２の間で第１ノズル本体２１に対する第１アダプタ６１の挿入方向と第２ノズル本体２２に対する第２アダプタ６２の挿入方向とが互いに対向していても、第１ノズル本体２１における第１ノズルジョイント３１に対しての着脱作業を単独で行うことができる。同様に、第２ノズル本体２２における第２ノズルジョイント３２に対しての着脱作業を単独で行うことができる。
【００６４】
なお、上記実施形態は以下のように変更してもよい。
○  図５に示すように、第１アダプタ６１における第１ノズル本体２１に対する挿入方向が第１ノズル本体２１の軸線方向に平行であり、第２アダプタ６２における第２ノズル本体２２に対する挿入方向も、第２ノズル本体２２の軸線方向に平行であってもよい。
【００６５】
第１アダプタ内流路６１ｅとニードル挿入孔２１ｂとを繋ぐ第１ノズル本体２１の内部流路２１ｃは、第１アダプタ６１における第１ノズル本体２１に対する挿入方向及び第１ノズル本体２１の軸線方向に対して交差する方向に延びている。第２アダプタ内流路６２ｅとニードル挿入孔２２ｂとを繋ぐ第２ノズル本体２２の内部流路２２ｃは、第２アダプタ６２における第２ノズル本体２２に対する挿入方向及び第２ノズル本体２２の軸線方向に対して交差する方向に延びている。
【００６６】
図５に示す実施形態では、例えば、複数のボルト１６を取り外して、第２アダプタ６２における第２ノズル本体２２に対する挿入方向へ第２ノズル本体２２を移動させるだけで、第２ノズル本体２２が第１ノズル本体２１に干渉すること無く、第２ノズル本体２２を第２ノズルジョイント３２に対して分離させることができる。したがって、第２ノズル本体２２を第２ノズルジョイント３２から分離する際に、第２アダプタ６２を第２ノズルジョイント３２から引き抜く必要が無い。
【００６７】
○  図６に示すように、第１アダプタ６１における第１ノズル本体２１に対する挿入方向が、上下方向Ｙ１と一致していてもよく、第２アダプタ６２における第２ノズル本体２２に対する挿入方向も、上下方向Ｙ１と一致していてもよい。
【００６８】
第１アダプタ６１は、第１ノズル本体２１を上下方向Ｙ１に貫通するように第１ノズル本体２１に挿入され、先端部が第２連通路３１２ｄ内に挿入されている。軸内通路６１ｇは第２連通路３１２ｄに連通している。複数の孔６１ｆは、内部流路２１ｃに連通している。第１アダプタ６１の先端部の外周面には雄ねじ６１Ａが形成されている。第２連通路３１２ｄの内周面には、雄ねじ６１Ａが螺合する雌ねじ３１３ｅが形成されている。第１アダプタ６１は、第１ノズル本体２１に挿入されて、先端部の雄ねじ６１Ａが雌ねじ３１３ｅに螺合されることにより、第１ノズル本体２１を第１ノズルジョイント３１に取り付けている。すなわち、図６に示す実施形態では、第１アダプタ６１は、第１ノズル本体２１を第１ノズルジョイント３１に取り付ける取付部材の役割を果たしている。
【００６９】
同様に、第２アダプタ６２は、第２ノズル本体２２を上下方向Ｙ１に貫通するように第２ノズル本体２２に挿入され、先端部が第２連通路３２２ｄ内に挿入されている。軸内通路６２ｇは第２連通路３２２ｄに連通している。複数の孔６２ｆは、内部流路２２ｃに連通している。第２アダプタ６２の先端部の外周面には雄ねじ６２Ａが形成されている。第２連通路３２２ｄの内周面には、雄ねじ６２Ａが螺合する雌ねじ３２３ｅが形成されている。第２アダプタ６２は、第２ノズル本体２２に挿入されて、先端部の雄ねじ６２Ａが雌ねじ３２３ｅに螺合されることにより、第２ノズル本体２２を第２ノズルジョイント３２に取り付けている。すなわち、図６に示す実施形態では、第２アダプタ６２は、第２ノズル本体２２を第２ノズルジョイント３２に取り付ける取付部材の役割を果たしている。
【００７０】
○  実施形態において、緯入れノズル１０は、ノズルユニットを一つだけ備えた構成であってもよいし、三つ以上備えた構成であってもよい。
【符号の説明】
【００７１】
１０…緯入れノズル、１１…ノズルユニットとしての第１ノズルユニット、１２…ノズルユニットとしての第２ノズルユニット、１７…ニードル、２１…ノズル本体としての第１ノズル本体、２１ｂ，２２ｂ…ニードル挿入孔、２１ｄ…ノズル内流路としての第１ノズル内流路、２２…ノズル本体としての第２ノズル本体、２２ｄ…ノズル内流路としての第２ノズル内流路、３１…ノズルジョイントとしての第１ノズルジョイント、３１ｄ…ノズルジョイント内流路である第１ノズルジョイント内流路、３２…ノズルジョイントとしての第２ノズルジョイント、３２ｄ…ノズルジョイント内流路である第２ノズルジョイント内流路、４１…カップリングとしての第１カップリング、４２…カップリングとしての第２カップリング、５１…パイプとしての第１パイプ、５２…パイプとしての第２パイプ、６１…アダプタとしての第１アダプタ、６１ｅ…アダプタ内流路としての第１アダプタ内流路、６２…アダプタとしての第２アダプタ、６２ｅ…アダプタ内流路としての第２アダプタ内流路。
【図１】
2018100454.tif 000003
【図２】
2018100454.tif 000004
【図３】
2018100454.tif 000005
【図４】
2018100454.tif 000006
【図５】
2018100454.tif 000007
【図６】
2018100454.tif 000008
【図７】
2018100454.tif 000009